(57)【要約】      （修正有）【課題】簡単な構造により折り畳み・組み立てが行え、しかも折り畳み・組み立ての際の操作性が非常に簡単なファイルボックスを提供する。【解決手段】ボックスファイルは、使用時にはファイルや用紙等を収納可能に箱状に形成され、不使用時には周壁１０が扁平状に折り畳み可能に構成される上方開放の箱型であって、上記周壁１０は、矩形板状の硬質素材で形成された前面部１１、後面部１２、左側面部１３及び右側面部１４により角筒状に形成され、上記周壁１０の下方に連設される底面部１５は、矩形シート状の軟質素材で形成され、一方の対角線上にファスナー３が取り付けられてこのファスナー３を開くと２つの直角三角形部に分離されて各直角三角形部１５ａ，１５ｂが折り込まれるとともに上記周壁１０が扁平状に折り畳み可能に構成される。【選択図】図２
0003142495.tif 000002
【実用新案登録請求の範囲】
【請求項１】
使用時にはファイルや用紙等を収納可能に箱状に形成され、不使用時には周壁が扁平状に折り畳み可能に構成される上方開放の箱型のボックスファイルであって、
上記周壁は、矩形板状の硬質素材で形成された前面部、後面部、左側面部及び右側面部により角筒状に形成され、
上記周壁の下方に連設される底面部は、矩形シート状の軟質素材で形成され、一方の対角線上にファスナーが取り付けられてこのファスナーを開くと２つの直角三角形部に分離されて各直角三角形部が折り込まれるとともに上記周壁が扁平状に折り畳み可能に構成されるボックスファイル。
【請求項２】
請求項１に記載のボックスファイルにおいて、
上記底面部は、上記ファスナーが設置面と接触されないように上記周壁の下端縁よりも少し高い位置の周壁内に形成されて上げ底となっているボックスファイル。
【請求項３】
請求項１又は２に記載のボックスファイルにおいて、
上記底面部の大きさ形状と略一致する矩形板状の中敷材が上記周壁内の底面部上に配置されるボックスファイル。
【考案の詳細な説明】
【技術分野】
【０００１】
本考案は、使用時にはファイルや用紙等を収納可能に箱状に形成され、不使用時には周壁が扁平状に折り畳み可能に構成される上方開放の箱型のボックスファイルに関する。
【背景技術】
【０００２】
従来、この種のボックスファイルは、図３に示すように、前面部３０１、後面部３０２、左側面部３０４及び右側面部３０３よりなる角筒状の周壁３００と、この周壁３００の下端縁に形成された底面部３０５とを備える上方開放の箱型に構成されている。そして、このボックスファイルは、図４に示す展開図のように、左側面部３０４、前面部３０１、右側面部３０３、後面部３０２が順に連設され、左側面部３０４の側端には後面部３０２の側端に貼り合せる貼着代３４０が形成され、また、前面部３０１、後面部３０２、左側面部３０４及び右側面部３０３のそれぞれの下端に連設する底面構成片３１１，３２１，３４１，３３１が形成されたボール紙から構成されている。なお、後面部３０２に連設する底面構成片３２１には、右側面部３０３に連設する底面構成片３３１上に貼着される貼着舌片３２２が折り筋３２３を介して形成され、また、左側面部３０４に連設する底面構成片３４１には、前面部３０１に連設する底面構成片３１１上に貼着される貼着舌片３４２が折り筋３４３を介して形成されている。
【０００３】
そして、上記ボックスファイルは、左側面部３０４の貼着代３４０を後面部３０２の側端に貼り合せて角筒状の周壁３００が形成される（図３参照）。また同時に、図５に示すように、左側面部３０４の底面構成片３４１に形成する貼着舌片３４２を前面部３０１の底面構成片３１１上に貼り合せ、この前面部３０１の底面構成片３１１上に、後面部３０２の底面構成片３２１に形成する貼着舌片３２２を右側面部３０３の底面構成片３３１上に貼り合せた各底面構成片３１１，３２１，３４１，３３１を配置させて底面部３０５が形成されている。
【０００４】
次に、上記ボックスファイルを不使用時に折り畳む際には、図６に示すように、底面部３０５において前面部３０１に連設する底面構成片３１１を内側に倒し、次いで、左右の各貼着舌片３２２，３４２を指で内側に押し込むと、各折り筋３２３，３４３が谷折りされて各底面構成片３１１，３２１，３４１，３３１が内側に折り込まれるとともに、周壁３００が断面平行四辺形状に倒されていく。そして、最終的には、底面部３０５の各底面構成片３１１，３２１，３４１，３３１が周壁の内側に折り込まれ、周壁が扁平状に折り畳まれる。一方、箱型に組み立てる際には、周壁３００を箱型に起こすとともに、内部に折り込まれた底面構成片３１１，３２１，３４１，３３１を下方へ押し込んで底面を整形することにより、上方開放の箱型に組み立てられる。
【０００５】
従って、不使用時に扁平状に折り畳む際は、底面部３０５を内方へ押し込むにことにより周壁３００が簡単に折り畳まれ、また、使用時に箱型に組み立てる際は、周壁３００を起こすと同時に内側から底面部３０５を外方へ押し込むことにより周壁３００が簡単に箱型状態に組み立てられる。
【特許文献１】実用新案登録第２５３８２０１号公報
【考案の開示】
【考案が解決しようとする課題】
【０００６】
しかしながら、上記ボックスファイルでは、周壁３００を折り畳む際に、底面部３０５の左右の各貼着舌片３４２，３２２を指で押さずに各底面構成片３１１，３２１，３４１，３３１を内側へ押し込むと、折り筋３４３，３２３が上手く谷折りされず周壁３００の折り畳みが円滑に行われない場合があった。そして、この状態で各底面構成片３１１，３２１，３４１，３３１を無理やり内側へ押し込んで周壁３００を倒し込むと、各貼着舌片３４２，３２２が剥がれて破損するといった不具合を起こすおそれもあった。また、折り畳み状態から箱型に組み立てる際に、底面構成片３１１，３２１，３４１，３３１を外側に押し込み過ぎると、各底面構成片３１１，３２１，３４１，３３１が分解されるおそれもあった。しかも、周壁３００を折り畳み自在とするため、底面部３０５は、４つの底面構成片３１１，３２１，３４１，３３１により組み合わされて構成され、その構造が複雑であった。
【０００７】
本考案は、上記事情に鑑みてなされたものであり、簡単な構造により折り畳み・組み立てが行え、しかも折り畳み・組み立ての際の操作性が非常に簡単なファイルボックスを提供することを課題とする。
【課題を解決するための手段】
【０００８】
本考案に係るボックスファイルは、
使用時にはファイルや用紙等を収納可能に箱状に形成され、不使用時には周壁が扁平状に折り畳み可能に構成される上方開放の箱型のボックスファイルであって、
上記周壁は、矩形板状の硬質素材で形成された前面部、後面部、左側面部及び右側面部により角筒状に形成され、
上記周壁の下方に連設される底面部は、矩形シート状の軟質素材で形成され、一方の対角線上にファスナーが取り付けられてこのファスナーを開くと２つの直角三角形部に分離されて各直角三角形部が折り込まれるとともに上記周壁が扁平状に折り畳み可能に構成されるものである。
これにより、ファスナーを全開にすると、軟質素材の底面部が２つの直角三角形部に分離されて各直角三角形部が折り込まれるとともに角筒状の上記周壁が簡単に扁平状に折り畳まれる。一方、扁平状に折り畳まれた周壁を起こして底面部のファスナーを閉じるだけで上記周壁が簡単に元の角筒状に組み立てられる。
【０００９】
上記底面部は、上記ファスナーが設置面と接触されないように上記周壁の下端縁よりも少し高い位置の周壁内に形成されて上げ底となっていてもよい。
これにより、ファイルボックスを机上等の設置面上で引きずっても、ファスナーが机上等の設置面に強く擦れてファスナーを破損させてその開閉操作が不能となることもなく、また、ファスナーによって机上をキズ付けることもない。
【００１０】
上記底面部の大きさ形状と略一致する矩形板状の中敷材が上記周壁内の底面部上に配置されていてもよい。
これにより、ファイルボックスの箱型状態を形成する底面部及び周壁の形状を安定的に保持することができ、ファイルボックス使用時の底面部及び周壁の変形を確実に防ぐことができる。
【考案の効果】
【００１１】
以上のように、本考案によれば、底面部のファスナーを開閉することにより、ファイルボックスの折り畳み、組み立てを非常に簡単に且つ速やかに行うことができ、その操作性にも優れる。
【考案を実施するための最良の形態】
【００１２】
以下に、本考案の実施形態を説明する。
図１に示すように、このボックスファイル１は、周壁１０が矩形板状の硬質素材で形成された前面部１１、後面部１２、左側面部１３及び右側面部１４により角筒状に形成され、この周壁１０の下方に矩形シート状の軟質素材で形成された底面部１５が連設された上方開放の箱型となっている。
【００１３】
周壁１０は、前面部１１、後面部１２、左側面部１３及び右側面部１４の各々の大きさ形状に模られた矩形状のボール紙等の板状芯材に、合成皮革等の表皮材を外面側に縫合するとともに内面側に布や合成樹脂シート等の裏皮材を縫合して、前面部１１、後面部１２、左側面部１３及び右側面部１４が連接されて各筒状に形成されている。従って、前面部１１と左側面部１３及び右側面部１４との角部、後面部１２と左側面部１３及び右側面部１４との角部は、それぞれ折り畳み自在となっている。
【００１４】
また、左側面部１３及び右側面部１４の各々の上方には、長孔の持ち手２１，２２が形成されている。従って、この持ち手２１，２２を掴むことによりボックスファイル１の持ち運びを容易に行うことができ、また、棚や机上等に整列させた状態からこの持ち手２１，２２に指を引っ掛けてボックスファイル１を容易に引っ張り出すことができる。
【００１５】
底面部１５は、その大きさ形状に模られた矩形状の軟質素材シートを、周壁１０の下端縁よりも少し高い位置の周壁１０内に縫合して形成されて上げ底となっている（図１参照）。この底面部１５は、好ましくは布で形成されるが、剛性樹脂シート等の軟質素材シートで形成してもよい。また、この底面部１５には、一方の対角線上にチャックと称されるファスナー３が取り付けられている。このファスナー３に取り付けられたつまみ金具３１をスライドさせることによりファスナー３が開閉される。ファスナー３のつまみ金具３１は、底面部１５の外側に取り付けられている。そして、矩形状の底面部１５は、つまみ金具３１をスライドさせてファスナー３を開くと２つの直角三角形部１５ａ，１５ｂに分離され、ファスナー３を閉じると各直角三角形部１５ａ，１５ｂが接合されて元の矩形状となるように構成されている。ファスナー３を開いて底面部１５を２つの直角三角形部１５ａ，１５ｂに分離することにより、このボックスファイル１を箱型状態から簡単に折り畳むことができ、この折り畳み方については後述する。
【００１６】
また、このボックスファイル１は、底面部１５の大きさ形状と略一致する矩形板状の中敷材５が上記周壁１０内の底面部１５上に配置されている。この中敷材５は、例えば、ボール紙等の板状芯材の上面側に、周壁１０の内面側と同じ布等の皮材を縫合された硬質素材により構成される。中敷材５の一辺には、ループ状のつまみ５１が取り付けられている。そして、この中敷材５は、ボックスファイル１の上方の開口部から挿入して底面上に配置される。また、中敷材５をボックスファイル１内から取り出すときは、つまみ５１を引っ張って中敷材５を持ち上げることで容易に取り出すことができる。
【００１７】
次に、ボックスファイル１の折り畳み方について説明する。
箱型状態のボックスファイル１を折り畳む際は、まずその内から中敷材５をそのつまみ５１を引っ張り上げて取り出す。
次いで、図２（ａ）に示すように、底面部１５のファスナー３のつまみ金具３１を摘んでスライドさせてファスナー３を全開に開き、底面部１５をこのファスナー３を取り付けた対角線を境に２つの直角三角形部１５ａ，１５ｂに分離させる。そして、図２（ｂ）に示すように、この状態から周壁１０が断面平行四辺形状となるように、例えば前面部１１を後面部１２に接近させるように図２（ｂ）中の右方に倒して行くと、２つの直角三角形部１５ａ，１５ｂに分離された底面部１５は、布等の軟質素材で形成されているので、各直角三角形部１５ａ，１５ｂは、直角の角部からファスナー３の斜辺部に至る折り筋６ａ，６ｂに沿って周壁１０内に折り込まれて行く。そして、図２（ｃ）に示すように、前面部１１が後面部１２に重なるように完全に倒されると、底面部１５の各直角三角形部１５ａ，１５ｂが周壁１０内に２つ折りになって折り込まれると同時に、角筒状の周壁１０が扁平状に折り畳まれる。これにより、箱型状態のボックスファイル１が平らに折り畳まれる。なお、ボックスファイル１を折り畳み状態から箱型状態に組み立てるには、上記と逆の手順に従って組み立てればよい。
【００１８】
このように、上記ボックスファイル１によれば、底面部１５のファスナー３を開くだけで周壁１０を扁平状に簡単に折り畳むことができ、一方、箱型状態に組み立てる際は折り畳まれた周壁１０を起こして底面部１５のファスナー３を閉じるだけで簡単に組み立てられる。従って、ボックスファイル１の折り畳み、組み立てを非常に簡単に且つ速やかに行うことができ、その操作性にも優れる。
【００１９】
また、底面部１５は、布等の軟質素材で形成されていてもファスナー３を閉じることで、緊張状態に添設されるので、ボックスファイル１の使用時に周壁１０内にファイルや用紙等を収納させても、底面部１５が変形して周壁１０の形状が変形されることもない。
【００２０】
そして、中敷材５を周壁１０内の底面部１５上に配置することにより、この中敷材５によってボックスファイル１の箱型状態を形成する底面部１５及び周壁１０の形状を安定的に保持することができ、ボックスファイル１の使用時の底面部１５及び周壁１０の変形を確実に防ぐことができる。
【００２１】
さらに、上記底面部１５は、上記ファスナー３が机上等の設置面と接触されないように上記周壁１０の下端縁よりも少し高い位置の周壁１０内に形成されて上げ底となっているので（図１参照）、ボックスファイル１を机上等で引きずっても、ファスナー３が机上等の設置面に強く擦れてファスナー３を破損させてその開閉操作が不能となることもなく、また、ファスナー３によって机上をキズ付けることもない。
【００２２】
なお、本考案は、上記実施形態のみに限定されず、本考案の範囲内で適宜に設計変更を施すことが可能である。
例えば、ファスナー３のつまみ金具３１は、底面部１５の外側に取り付けられているが、側面部１５の内側、すなわち周壁１０内に配置されるようにしてもよい。
また、ファスナー３は、つまみ金具３１により開閉するいわゆるチャックにより構成するが、面ファスナーにより構成してもよい。
また、周壁１０や中敷材５は、堅牢性のある発泡又は非発泡の合成樹脂板により形成してもよい。
また、後面部１２の高さを前面部１１の高さよりも高く形成してもよい。
さらに、持ち手２１，２２用の長孔は、周壁１０のいずれかの面に設けるようにしてもよいし、また、このような長孔を全く設けないようにしてもよい。
【図面の簡単な説明】
【００２３】
【図１】実施の形態によるボックスファイルの全体構成を示す斜視図である。
【図２】実施の形態によるボックスファイルの折り畳み方を説明するために底面側を正面にした斜視図である。
【図３】従来のボックスファイルの全体構成を示す斜視図である。
【図４】従来のボックスファイルの展開状態を示す展開図である。
【図５】従来のボックスファイルの底面部の構成を示す底面図である。
【図６】従来のボックスファイルの折り畳み途中を示す底面図である。
【符号の説明】
【００２４】
１  ボックスファイル
３  ファスナー
５  中敷材
６ａ，６ｂ  折り筋
１０  周壁
１１  前面部
１２  後面部
１３  左側面部
１４  右側面部
１５  底面部
１５ａ，１５ｂ  直角三角形部
【図１】
0003142495.tif 000003
【図２】
0003142495.tif 000004
【図３】
0003142495.tif 000005
【図４】
0003142495.tif 000006
【図５】
0003142495.tif 000007
【図６】
0003142495.tif 000008